(57)【要約】【課題】この考案は、排ガスのエネルギーを有効利用することを目的としたものである。【解決手段】この考案は、器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記管体の外側へ夫々多数のフィンを設置し、前記上下煙室へ、煙筒を夫々連設すると共に、前記熱交換室の一方の壁へ連結ダクトの連結部を設け、他方の壁へ温風吹出し筒を連設したことを特徴とする熱交換器により目的を達成した。【選択図】図１
0003122983.tif 000002
【実用新案登録請求の範囲】
【請求項１】
器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記上下煙室へ、煙筒を夫々連設すると共に、前記熱交換室の一方の壁へ連結ダクトの連結部を設け、他方の壁へ温風吹出し筒を連設したことを特徴とする熱交換器。
【請求項２】
器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記管体の外側へ夫々多数のフィンを設置し、前記上下煙室へ、煙筒を夫々連設すると共に、前記熱交換室の一方の壁へ連結ダクトの連結部を設け、他方の壁へ温風吹出し筒を連設したことを特徴とする熱交換器。
【請求項３】
器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記管体の外側へ夫々多数のフィンを設置し、前記上下煙室へ、煙筒を夫々連設すると共に、前記熱交換室の一方の壁へ、連結ダクトの吹込口を設け、他方の壁へ温風吹出し筒の１つを連設したことを特徴とする熱交換器。
【請求項４】
熱交換器と連結ダクトとの連結は、密接連結又は連結ダクトの先端ノズルを、熱交換器の連結孔に遊嵌したことを特徴とする請求項１、２又は３記載の熱交換器。
【請求項５】
温風機の温風ダクトの中間部又は温風吹出し筒の１つと、煙筒に介装した請求項１、２又は３記載の熱交換器の吸入口とを連結ダクトで連結したことを特徴とする温風暖房装置。
【請求項６】
温風機の温風生成室の右又は左に吹出管を設け、該吹出管と、煙筒に介装した請求項１、２又は３記載の熱交換器の吸入口とを連結ダクトで連結したことを特徴とする温風暖房装置。
【請求項７】
温風機の温風ダクトの中間部と、煙筒に介装した請求項１、２又は３記載の熱交換器の吸入口とを連結ダクトで連結し、前記温風ダクトの連結ダクト連結部の両側にダンパーを設けたことを特徴とする請求項１記載の温風暖房装置。
【考案の詳細な説明】
【技術分野】
【０００１】
この考案は、加温した空気を室内に吹き込むようにして、温室などの暖房をするに際し、加温効率の向上を目的とした熱交換器及び温風暖房装置に関する。
【背景技術】
【０００２】
従来、室内空気を加温する際、ガス又は燈油などの燃焼熱を利用する方式にあっては、温風機を室内に設置し、温風機内へ室内空気を通過させて熱交換させることが一般的に行なわれている。
【０００３】
前記温風機で加温された空気は、送風ダクトによって、室内適所に導かれ、複数の吹出口から吹き出して、対流させつつ加温するのが普通である。
【０００４】
近来エネルギーの効率的利用として、燃焼煙の排熱を利用して、燃焼室へ送り込む空気を加温（燃焼効率の向上）したり、煙筒に熱交換器を付設したりすること（排熱利用）も提案されている。
【特許文献１】特開２００３−２７９００５号
【特許文献２】特許第３６２７２１６号
【考案の開示】
【考案が解決しようとする課題】
【０００５】
温風暖房機において熱効率を向上させる為に、排ガスの一部を燃焼用空気と混合させる提案がある（特許文献１）。また温風暖房機に、排熱回収ユニットを設置して熱効率を向上させる発明の提案がある（特許文献２）。
【０００６】
前記発明は、燃焼効率の向上又は排熱の有効利用などを目的とするもので、夫々有効であるとされており、前記両者を兼ねるような装置の可能性もある。
【０００７】
然し乍ら、前記各発明は、燃焼器又は温風機自体の発明であって、新しい器機の提案であるから、使用者にすれば、既設の設備を買い換え、又は大改造しなければならない問題点がある。
【０００８】
また排煙利用の熱交換器であっても、加温すべき空気を吸入し、加温後これを吹き出す為のファンを必須条件としている問題点があった。
【課題を解決するための手段】
【０００９】
然るにこの考案は、温風ダクトの吹出し力を利用して、熱交換器内の流動力を得るので、流動用ファンを設置することなく、前記従来の問題点を解決したのである。
【００１０】
即ちこの考案は、器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記上下煙室へ、煙筒を夫々連設すると共に、前記熱交換室の一方の壁へ連結ダクトの連結部を設け、他方の壁へ温風吹出し筒を連設したことを特徴とする熱交換器であり、器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記管体の外側へ夫々多数のフィンを設置し、前記上下煙室へ、煙筒を夫々連設すると共に、前記熱交換室の一方の壁へ連結ダクトの連結部を設け、他方の壁へ温風吹出し筒を連設したことを特徴とする熱交換器であり、器体の上部内側へ上煙室を設け、器体の下部内側へ下煙室を設け、前記上煙室の底板と、前記下煙室の頂板との間の熱交換室へ複数の管体を連結開口して、上下両煙室を連結し、前記管体の外側へ夫々多数のフィンを設置し、前記上下煙室へ、煙筒を夫々連設すると共に、前記熱交換室の一方の壁へ、連結ダクトの吹込口を設け、他方の壁へ温風吹出し筒を連設したことを特徴とする熱交換器である。また、熱交換器と連結ダクトとの連結は、密接連結又は連結ダクトの先端ノズルを、熱交換器の連結孔に遊嵌したものである。
【００１１】
また他の考案は、温風機の温風ダクトの中間部と、煙筒に設置した請求項１又は２記載の熱交換器の吸入口とを連結ダクトで連結したことを特徴とする温風暖房装置であり、温風機の温風吹出し筒の一つと、煙筒に設置した請求項１又は２記載の熱交換器の吸入口とを連結ダクトで連結したことを特徴とする温風暖房装置である。
【００１２】
更に他の考案は、温風機の温風生成室の右又は左に吹出管を設け、該吹出管と、煙筒に介装した請求項１、２又は３記載の熱交換器の吸入口とを連結ダクトで連結したことを特徴とする温風暖房装置であり、温風機の温風ダクトの中間部と、煙筒に介装した請求項１、２又は３記載の熱交換器の吸入口とを連結ダクトで連結し、前記温風ダクトの連結ダクト連結部の両側にダンパーを設けたものである。
【００１３】
前記において、熱交換器はファンが不用であるから、これに伴うモータ及び回転羽根その他が不必要となると共に、構造が簡易化し、軽量、低廉化する利点がある。
【００１４】
前記温風暖房装置によれば、温風の吹出しと、熱交換器からの吹出しと、温風の熱対流（温度の高い空気が上昇する）により、室内温度を均一化することができる。大きい温室には、室内空気の流動用ファンを複数設置するのが普通であるが、この考案を使用し、吹出し口の位置を適切に配置すれば、前記流動用ファンの数を削減し、又は皆無にすることも可能である。
【００１５】
また温風吹出し口に、適切な案内を付設し、室内空気に流動力を与え、強制流動させることもできる。
【考案の効果】
【００１６】
この考案によれば、既設の設備を有効利用し、又は、ファンのない熱交換器を設置して、温室の暖房を高い熱効率で行うことができる効果がある。
【００１７】
また既設の設備をそのまま利用して（連結ダクトの新設のみ）、熱効率を向上し得る効果がある。
【００１８】
また新設の場合には、軽量、かつ低廉なファンなし熱交換器により、同等以上の熱効率を向上し得る効果がある。
【考案を実施するための最良の形態】
【００１９】
温風機の温風ダクトの中間部と、煙筒に設置した熱交換器の吸入口とを連結ダクトで連結した。従って連結ダクト内を流動する温風の一部が、熱交換器に吸入され（強制的に吹き込む）、熱交換されて昇温熱風となって室内へ吹き出される。前記において、温風ダクト内の温風の一部（例えば４９℃）が熱交換器に吹き込まれ、６２．２℃になって吹き出されると、１３．２℃の回収温度差が見込まれる。
【００２０】
前記回収温度差は、温風の温度、吹き込み量（例えば１８．８ｍ３／ｍｉｎ）及び煙温度によって大差がある。
【００２１】
然し乍ら一般論としては、煙温度と吹込み空気との温度差及び風量により異なるが、温度差が大きく、風量が多い方が回収熱総量は多くなる。
【実施例１】
【００２２】
この考案の実施例を図１（ａ）について説明すると、温風機１の温風ダクト２の基部へ、連結ダクト３の基部を連結し、前記連結ダクト３の先端部を熱交換器５の吸込み口４へ連結する。
【００２３】
前記実施例において温風機１の温風ダクト２に温風を矢示６、６のように送ると、連結ダクト３にも矢示７のように送られ、そのまま流動して、熱交換器５の吸込み口４から、矢示８のように熱交換器５内へ入る。熱交換器５内の上下には煙室９、９ａが設けられ、前記煙室９、９ａの間を円管１０、１０で連通させ、円管１０、１０の外側へ突設した多数のフィン１０ａによって、熱効率を向上させて、矢示１８、１９のように室内へ放出される。
【００２４】
一方煙筒１１内の排ガスは、矢示１２、１３、１４のように上昇する。この際円管１０及びフィン１０ａにより煙の排熱が回収される。図中２１はバーナー、２２は換気扇である。
【００２５】
前記のようにして、ダクト内を流動する温風を連結ダクト３で分岐して、熱交換器５へ吹き込むので、熱交換器５に吸気する為の吸入ファンが不必要となる。
【００２６】
前記実施例において、図２（ｃ）のように、連結ダクト３の先端部に、ノズル１５を連結し、ノズル１５を、熱交換器５の吸込み口４の中央部へ臨ませると、前記ノズル１５から矢示８のように吹き出す温風が、室内空気を、矢示１６、１７、１８のように熱交換器５内へ吸い込むことになるので、熱交換器５では、連結ダクト３からの温風（例えば５０℃）と室内空気（例えば２５℃）との混合気体（例えば３３℃、温風１に対し、室内空気２の割合とすれば）となって熱交換される。この場合における熱交換効率は、温度差の大きい程、高いので、排ガスの熱を、より多く回収することができる。
【実施例２】
【００２７】
この考案の他の実施例を図１（ｂ）について説明すると、温風機１の複数の吹出し筒２０ａ、２０ｂ、２０ｃ中の１つ、２０ｃに連結ダクト３の基端を連結し、前記連結ダクト３の先端部を熱交換器５に連結する。
【００２８】
前記熱交換器５は、実施例１と同様に、排ガスが煙筒１１内を上昇し、円管１０と、フィン１０ａにより熱交換され、加温空気は室内へ放出され、排ガスは煙筒１１ａから矢示１４のように外界へ放出される。
【００２９】
前記実施例における熱回収は、実施例１と同一に付、詳細な説明は省略する。
【実施例３】
【００３０】
この発明の他の実施例を図３、４について説明すると、温風機１の温風生成室の左又は右に吹出管２４又は２４ａを設け、この吹出管２４又は２４ａに連結ダクト３の基端部を接続し、連結ダクト３の先端部を熱交換器５の吸込み口４に接続したもので、図中２３は制御器である。
【００３１】
前記実施例において、温風生成室の温風は、吹出管２４から矢示２５のように連結ダクト３を経て熱交換器５に入り、熱交換して矢示２６のように室内へ放出される。
【００３２】
また図４の実施例は、温風ダクト２、２内に、連結ダクト３の連結部を挟んでダンパー２７、２７ａを設け、ダンパー２７、２７ａの開閉によって、連結ダクト３に流動させる風量を制御することができる。また制御器は、温風の温度、風量等を自動制御するために用いる。
【図面の簡単な説明】
【００３３】
【図１】（ａ）この考案の実施例の一部を省略した正面図、（ｂ）同じく他の実施例の一部を省略した正面図。
【図２】（ａ）同じく熱交換器の一部を破切した拡大側面図、（ｂ）同じく連結ダクトの取付け部を示す一部を破切した一部拡大図、（ｃ）同じく他の実施例の一部を破切した一部拡大図。
【図３】（ａ）同じく他の実施例の一部を省略した正面図、（ｂ）同じく他の実施例の側面図。
【図４】同じく他の実施例の一部を省略した正面図。
【符号の説明】
【００３４】
１  温風機
２  温風ダクト
３  連結ダクト
４  吸込み口
５  熱交換器
９、９ａ  煙室
１０  円管
１１  煙筒
１５  ノズル
【図１】
0003122983.tif 000003
【図２】
0003122983.tif 000004
【図３】
0003122983.tif 000005
【図４】
0003122983.tif 000006
【手続補正書】
【提出日】平成18年4月26日(2006.4.26)
【手続補正１】
【補正対象書類名】実用新案登録請求の範囲
【補正対象項目名】請求項７
【補正方法】変更
【補正の内容】
【請求項７】
温風機の温風ダクトの中間部と、煙筒に介装した請求項１、２又は３記載の熱交換器の吸入口とを連結ダクトで連結し、前記温風ダクトの連結ダクト連結部の両側にダンパーを設けたことを特徴とする温風暖房装置。